(57)【要約】【課題】ベローズの寿命を長くするとともに、小型で安価にし、かつ真空インタラプタもコンパクトにする。【解決手段】ベローズ６は、内周面側が真空に晒されるとともに、外周面側が絶縁媒体ガスに晒されるように取り付けられ、ベローズ６の材質をインコネル材により形成するとともに、ベローズ６の１山当たりの伸縮量を２ｍｍ以上とした。【選択図】図１
2007173137.tif 000002
【特許請求の範囲】
【請求項１】
筒材の一端側が固定側端板により封止されるとともに、筒材の他端側が可動側端板により封止され、固定側端板には固定リードが気密に貫通し、可動側端板には可動リードが遊嵌状態で貫通し、可動側端板と可動リードとの間にベローズを介在させることにより、筒材、固定側端板、可動側端板及びベローズにより内部が真空の真空容器を形成するとともに、絶縁媒体ガス中に配置された真空インタラプタにおいて、ベローズは、内周面側が真空に晒されるとともに、外周面側が絶縁媒体ガスに晒される状態で取り付けられ、かつベローズを機械的強度に優れたインコネル材により形成したことを特徴とする真空インタラプタ。
【請求項２】
前記インコネル材は、インコネル６２５（ニッケル６１重量％、クロム２０〜２３重量％、モリブデン９重量％、鉄２．５重量％）としたことを特徴とする請求項１記載の真空インタラプタ。
【請求項３】
前記ベローズは、ベローズの１山当たりの伸縮量を２ｍｍ以上としたことを特徴とする請求項１または２記載の真空インタラプタ。
【発明の詳細な説明】
【技術分野】
【０００１】
この発明は、真空インタラプタに関し、特にそのベローズの材質、山数等に関するものである。
【背景技術】
【０００２】
真空インタラプタは、ガス絶縁開閉装置、キュービクル形ガス絶縁開閉装置、タンク型真空遮断器等に用いられ、絶縁媒体としてガス（ＳＦ６、空気、窒素等）が封入された密封容器内に組み込まれる。このため、真空インタラプタにおいて用いられる筒状のベローズは、特許文献１の図５に示されるように、外周側が真空に晒され、内周側が高圧の絶縁媒体ガスに晒され、内外の圧力差による応力が内周面側から外周面側に向かって作用することになり、ベローズの山谷部に変形が生じ、座屈が発生する恐れがあり、ベローズが破壊することもある。そこで、従来では、特許文献１に示すような真空インタラプタが考えられた。
【０００３】
図１は特許文献１に示された従来の真空インタラプタの断面図を示し、１は絶縁筒であり、その一端に固定側端板２が接合されて封止されるとともに、他端に可動側端板３が接合されて封止されている。可動側端板３は軸方向外側に伸びた後に径方向内側に伸び、さらに軸方向外側と内側に２分岐して伸びた後にそれぞれ径方向内側に伸びて形成されている。そして、固定側端板２には固定リード４が気密に貫通し、可動側端板３には可動リード５が遊嵌状態で貫通し、可動側端板３と可動リード５との間に筒状のベローズ６を介在させることにより、絶縁筒１、固定側端板２、可動側端板３及びベローズ６により内部が真空の真空容器７が形成される。ベローズ６の一端は可動側端板３の軸方向内端の内周側先端に気密に取り付けられ、ベローズ６の他端は可動リード５に気密に取り付けられる。
【０００４】
又、固定リード４の内端には固定電極８が取り付けられ、可動リード５の内端には可動電極９が取り付けられる。可動リード５は図示しない外部操作機器によって軸方向に移動されるようになっており、可動リード５の軸方向移動によって固定電極８と可動電極９とが接離して電流の投入、遮断が行われる。又、絶縁筒１の内周面には筒状のアークシールド１０が取り付けられ、アークシールド１０は電極８，９を取り囲み、溶融金属や金属蒸気が絶縁筒１の内周面に付着するのを防止する。
【０００５】
図１の構成の真空インタラプタは内周側は真空に晒され、外周側は高圧（２気圧以上）の絶縁媒体ガスに晒されるが、ベローズ６は外周面側から内周面側に向かう圧力に対しては大きな抗力を有しており、ベローズ６の山部が内周側に凹むような形状反転は生じ難く、ベローズ６の座屈は生じ難い。
【特許文献１】特開２００４−２５９４４９号公報
【発明の開示】
【発明が解決しようとする課題】
【０００６】
上記したように、特許文献１に示された真空インタラプタは、高圧力下でもベローズ６の形態が安定する構造である。しかしながら、ベローズ６の形態が安定する構造ではあるが、ベローズ６の内側と外側の圧力差は大きく、ベローズ６に対して大きな圧力が加わることは避けられない。このような差圧による応力が加わった条件下において、ベローズ６が伸縮動作を繰り返した場合、ベローズ６は金属疲労により機械的強度が低下し、破損する恐れがある。この場合、真空度が維持できなくなり、真空インタラプタとしての性能を失うことになる。
【０００７】
従来、ベローズにはＳＵＳ３１６Ｌなどのステンレス鋼が広く用いられているが、素材の機械的強度が劣るために、動作可能回数（寿命）に限界があり、真空遮断器の無負荷開閉回数として要求される１万回に到達することが困難となっていた。又、ベローズ６の山数が多ければ多いほど、真空インタラプタの開離距離は一定であるから、ベローズの１山当たりの伸縮量が小さくなるため、ベローズ６の寿命が伸びる。しかしながら、ベローズ６をできるだけ小さく、安価にするためには、できるだけ山数を減らす必要があり、そのためには１山当たりの伸縮量を大きくする必要があり、従来のベローズ６の材質では機械的強度が充分でないために１山当たりの伸縮量を大きくすることができず、山数が多くなってベローズ６の長さを短くすることは困難であった。
【０００８】
この発明は上記のような課題を解決するために成されたものであり、動作可能回数を（寿命）を延ばすことができるとともに、ベローズの山数を減少させることができ、ベローズを小さく、安価にすることができる真空インタラプタを得ることを目的とする。
【課題を解決するための手段】
【０００９】
この発明の請求項１に係る真空インタラプタは、筒材の一端側が固定側端板により封止されるとともに、筒材の他端側が可動側端板により封止され、固定側端板には固定リードが気密に貫通し、可動側端板には可動リードが遊嵌状態で貫通し、可動側端板と可動リードとの間にベローズを介在させることにより、筒材、固定側端板、可動側端板及びベローズにより内部が真空の真空容器を形成するとともに、絶縁媒体ガス中に配置された真空インタラプタにおいて、ベローズは、内周面側が真空に晒されるとともに、外周面側が絶縁媒体ガスに晒される状態で取り付けられ、かつベローズを機械的強度に優れたインコネル材により形成したものである。
【００１０】
請求項２に係る真空インタラプタは、前記インコネル材を、インコネル６２５（ニッケル６１重量％、クロム２０〜２３重量％、モリブデン９重量％、鉄２．５重量％）としたものである。
【００１１】
請求項３に係る真空インアラプタは、前記ベローズを、ベローズの１山当たりの伸縮量を２ｍｍ以上としたものである。
【発明の効果】
【００１２】
以上のようにこの発明の請求項１によれば、ベローズを機械的強度に優れたインコネル材により形成したので、従来のステンレス鋼に比べて機械的強度に優れたベローズとなり、動作可能回数（寿命）を延ばすことができ、動作可能回数を真空遮断器の無負荷開閉回数として要求される１万回に到達させることができる。
【００１３】
又、請求項２によれば、インコネル材を張力に優れたインコネル６２５としたので、ベローズの内側と外側の圧力差による応力に強くなり、より一層ベローズの機械的強度を増すことができる。
【００１４】
又、請求項３によれば、ベローズの機械的強度が増加したので、同じ寿命に対する１山当たりの伸縮量を増加することができ、山数を減少させ、ベローズの長さを短くすることができ、真空インタラプタをコンパクトにすることができる。
【発明を実施するための最良の形態】
【００１５】
以下、この発明を実施するための最良の形態を図面とともに説明する。図１はこの発明の実施最良形態による真空インタラプタの断面図を示し、構成は従来と同様であるが、ベローズ６の材質とベローズ６の山数が異なる。即ち、ベローズ６を機械的強度が優れたインコネル材により形成し、特に高張力のインコネル６２５により形成し、またベローズ６１山当たりの伸縮量を２ｍｍ以上に設定した。
【００１６】
上記した実施最良形態においては、ベローズ６を従来のＳＵＳ３１６Ｌなどのステンレス鋼と比較して、機械的強度に優れたインコネル材により形成したので、ベローズ６は機械的強度に優れたものとなり、動作可能回数（寿命）を延ばすことさでき、真空遮断器の無負荷開閉回数として要求される１万回に到達することができる。特に、張力に優れたインコネル６２５をベローズ６に適用することにより、ベローズ６の内側と外側の圧力差による応力に耐え得ることができるので、より一層動作可能回数を増やすことができる。又、ベローズ６の機械的強度が増加したので、ベローズ６の１山当たりの伸縮量を２ｍｍ以上とすることができ、同じ寿命に対する１山当たりの伸縮量が増加するため、ベローズ６の長さを短くすることができ、ベローズ６を小さく、安価にすることができ、真空インタラプタをコンパクトにすることができる。
【００１７】
なお、上記した実施最良形態においては、筒材として絶縁筒１を用いたが、中央部の金属筒の両端に絶縁筒を接合した筒材を用いた真空インタラプタにも、本発明を適用することができる。
【図面の簡単な説明】
【００１８】
【図１】従来及びこの発明の実施最良形態による真空インタラプタの断面図である。
【符号の説明】
【００１９】
１…絶縁筒
２…固定側端板
３…稼動側端板
４…固定リード
５…稼動側リード
６…ベローズ
７…真空容器
８，９…電極
【図１】
2007173137.tif 000003